(57)【要約】【課題】ライブロックを人工的に生産するにあたり、取り扱いを容易にすること。【解決手段】このライブロック用構造体１は、生物を定着させる生物定着層２と、生物定着層２の内部に設けられる中空容器３とを含む。ライブロック用構造体１は、海中に所定期間保持されて、生物定着層２にバクテリア類や石灰藻等が定着して、人工のライブロックが完成する。完成したライブロックは設置海域まで曳航される。そして、設置場所で栓６が取り外されて、中空容器３の内部に海水が流入する。これによって、中空容器３は浮力を失ってライブロックは沈降し、設置海域の海底に設置される。【選択図】        図１
2007113291.tif 000002
【特許請求の範囲】
【請求項１】
生物を定着させる生物定着層と、
前記生物定着層の内部に設けられる浮力発生手段と、
を含むことを特徴とするライブロック用構造体。
【請求項２】
生物定着層の内部には、複数の前記浮力発生手段が備えられることを特徴とする請求項１に記載のライブロック用構造体。
【請求項３】
前記浮力発生手段は前記生物定着層の外部と連通する連通通路を備える中空容器であり、前記中空容器と前記生物定着層とは結合されて一体化されることを特徴とする請求項１又は２に記載のライブロック用構造体。
【請求項４】
前記浮力発生手段は、前記生物定着層と取り外し可能であることを特徴とする請求項１又は２に記載のライブロック用構造体。
【請求項５】
前記生物定着層は、多孔質体であることを特徴とする請求項１〜４のいずれか１項に記載のライブロック用構造体。
【請求項６】
前記ライブロック用構造体は、自己を識別できる個体識別手段を備えることを特徴とする請求項１〜５のいずれか１項に記載のライブロック用構造体。
【請求項７】
多孔質体で構成されて、生物を定着させる生物定着層を備えることを特徴とするライブロック用構造体。
【請求項８】
生物を定着させる生物定着層と、
自己を識別できる個体識別手段と、
を備えることを特徴とするライブロック用構造体。
【請求項９】
海上に浮いて、請求項１〜８のいずれか１項に記載のライブロック用構造体を海中に保持する浮体構造物と、
前記浮体構造物に前記ライブロック用構造体を取り付けるライブロック構造体取付手段と、
を含むことを特徴とするライブロック生産設備。
【請求項１０】
太陽光を採光して、前記ライブロック用構造体に導く採光・照射を備えることを特徴とする請求項９に記載のライブロック生産設備。
【請求項１１】
前記浮体構造物は、
海面に向かって張り出す揺れ抑制手段を備えることを特徴とする請求項９又は１０に記載のライブロック生産設備。
【請求項１２】
海中を漂う浮遊物から前記ライブロック用構造体を保護する海中浮遊物防護手段を備えることを特徴とする請求項９〜１１のいずれか１項に記載のライブロック生産設備。
【請求項１３】
前記浮体構造物の近傍に海水の水流を発生させる水流発生手段を備えることを特徴とする請求項９〜１２のいずれか１項に記載のライブロック生産設備。
【請求項１４】
海水が流通する通水路を前記浮体構造物の底部に備えることを特徴とする請求項９〜１３のいずれか１項に記載のライブロック生産設備。
【請求項１５】
請求項１〜８のいずれか１項に記載のライブロック用構造体を製造する手順と、
前記ライブロック用構造体を海中に所定の期間保持する手順と、
所定の期間海中に保持した後の前記ライブロック用構造体を、その設置場所に移動する手順と、
前記設置場所で前記ライブロック用構造体が備える前記浮力発生手段の浮力を減少させる手順と、
を含むことを特徴とするライブロックの設置方法。
【発明の詳細な説明】
【技術分野】
【０００１】
本発明は、人工的に生産されるライブロックに関する。
【背景技術】
【０００２】
ライブロックとは、珊瑚礁の海から引き揚げられた自然の岩のことであり、窒素化合物等を分解するバクテリアが定着している。このため、海水魚の飼育等において、理想的な濾材として用いられている。特許文献１には、槽内に少なくとも１つのライブロックを設置し、ライブロック上に水生生物、草木及び藻類を繁殖させ、水生生物、草木及び藻類の浄化作用で水槽水の浄化を促進させる海水等利用水槽が開示されている。
【０００３】
【特許文献１】特開２００２−２６２７０６号公報
【発明の開示】
【発明が解決しようとする課題】
【０００４】
しかし、ライブロックは自然の岩であるため、自然保護の観点から採取が制限される傾向にある。このため、近年においては、人工的にライブロックを生産し、濾材として提供する試みが行われている。また、親珊瑚から分割した子珊瑚を、人工的に生産したライブロックに移植して親珊瑚に生育させ、これを所定の海域に設置して、海中環境を回復させる試みも提案されている。このような用途に用いられるライブロックは、寸法、質量が大きくなるので、取り扱いが困難になることが予想される。
【０００５】
そこで、この発明は、上記に鑑みてなされたものであって、ライブロックを人工的に生産するにあたり、取り扱いを容易にすることができるライブロック用構造体及びライブロック生産設備、並びにライブロックの設置方法を提供することを目的とする。
【課題を解決するための手段】
【０００６】
上述した課題を解決し、目的を達成するために、本発明に係るライブロック用構造体は、生物を定着させる生物定着層と、前記生物定着層の内部に設けられる浮力発生手段と、を含むことを特徴とする。
【０００７】
このライブロック用構造体は、バクテリア類や藻類、あるいは珊瑚等の生物が定着したライブロックの生産に用いられるものである。そして、このライブロック用構造体は、生物を定着させる生物定着層の内部に浮力発生手段を設け、これを用いてライブロックを生産する。これによって、浮力発生手段の浮力を利用することができるので、ライブロックを設置する場所まで移動させる際の取り扱いが容易になる。
【０００８】
次の本発明に係るライブロック用構造体は、前記本発明に係るライブロック用構造体において、生物定着層の内部には、複数の前記浮力発生手段が備えられることを特徴とする。
【０００９】
このライブロック用構造体は、前記ライブロック用構造体の構成を備えるので、前記ライブロック用構造体と同様の作用、効果を奏する。さらにこのライブロック用構造体は、生物定着層の内部に、複数の浮力発生手段を備える。これによって、例えば、１個の浮力発生手段に不具合が発生して浮力が減少した場合でも、不具合の発生していない浮力発生手段によって浮力を得ることができる。
【００１０】
次の本発明に係るライブロック用構造体は、前記本発明に係るライブロック用構造体において、前記浮力発生手段は前記生物定着層の外部と連通する連通通路を備える中空容器であり、前記中空容器と前記生物定着層とは結合されて一体化されることを特徴とする。
【００１１】
このライブロック用構造体は、前記ライブロック用構造体の構成を備えるので、前記ライブロック用構造体と同様の作用、効果を奏する。さらにこのライブロック用構造体は、生物定着層の内部に浮力発生手段として中空容器を備える。この中空容器によって生物定着層２を補強できるという利点がある。
【００１２】
次の本発明に係るライブロック用構造体は、前記本発明に係るライブロック用構造体において、前記浮力発生手段は、前記生物定着層と取り外し可能であることを特徴とする。
【００１３】
このライブロック用構造体は、前記ライブロック用構造体の構成を備えるので、前記ライブロック用構造体と同様の作用、効果を奏する。さらにこのライブロック用構造体は、生物定着層に対して浮力発生手段を取り外し可能としてある。これによって、浮力発生手段を取り外した後の空間を、例えば漁礁等として利用することができる。
【００１４】
次の本発明に係るライブロック用構造体は、前記本発明に係るライブロック用構造体において、前記生物定着層は、多孔質体であることを特徴とする。
【００１５】
このライブロック用構造体は、前記ライブロック用構造体の構成を備えるので、前記ライブロック用構造体と同様の作用、効果を奏する。さらにこのライブロック用構造体は、生物定着層を多孔質体で構成する。これによって、バクテリア類や石灰藻等が豊富なライブロックを、比較的短期間で生産することができる。
【００１６】
次の本発明に係るライブロック用構造体は、前記本発明に係るライブロック用構造体において、前記ライブロック用構造体は、自己を識別できる個体識別手段を備えることを特徴とする。
【００１７】
このライブロック用構造体は、前記ライブロック用構造体の構成を備えるので、前記ライブロック用構造体と同様の作用、効果を奏する。さらにこのライブロック用構造体は、個体識別手段を備えるので、バクテリア類、石灰藻や珊瑚等が定着することにより完成したライブロックを、人工の構造物として識別できる。
【００１８】
次の本発明に係るライブロック用構造体は、多孔質体で構成されて、生物を定着させる生物定着層を備えることを特徴とする。
【００１９】
従来、人工的にライブロックを生産する際には、生物の定着に比較的長期間を要していた。このライブロック用構造体は、生物定着層を多孔質体で構成する。これによって、バクテリア類や石灰藻等が豊富なライブロックを、比較的短期間で生産することができる。
【００２０】
次の本発明に係るライブロック用構造体は、生物を定着させる生物定着層と、自己を識別できる個体識別手段と、を備えることを特徴とする。
【００２１】
従来、人工的にライブロックを生産する際には、生物が定着した人工のライブロックと、天然の岩礁とを区別することが困難であった。このライブロック用構造体は、個体識別手段を備えるので、バクテリア類、石灰藻や珊瑚等が定着することにより完成したライブロックを、人工の構造物として識別できる。
【００２２】
次の本発明に係るライブロック生産設備は、海上に浮いて、前記ライブロック用構造体を海中に保持する浮体構造物と、前記浮体構造物に前記ライブロック用構造体を取り付けるライブロック構造体取付手段と、を含むことを特徴とする。
【００２３】
このライブロック生産設備は、浮体構造物を備え、生物を定着させる生物定着層の内部に浮力発生手段を設けたライブロック用構造体を、前記浮体構造物に取り付けてライブロックを生産する。これによって、ライブロック用構造体の浮力発生手段が発生する浮力を利用することができるので、浮体構造物に取り付ける作業や、生物の定着状態を確認するためにライブロック用構造体を引き上げる場合の負担が軽減できる。
【００２４】
次の本発明に係るライブロック生産設備は、前記ライブロック生産設備において、太陽光を採光して、前記ライブロック用構造体に導く採光・照射を備えることを特徴とする。
【００２５】
このライブロック生産設備は、前記ライブロック生産設備の構成を備えるので、前記ライブロック生産設備と同様の作用、効果を奏する。さらにこのライブロック生産設備は、採光・照射を備え、日中において、浮体構造物の影となる領域に位置するライブロック用構造体へ太陽光を照射する。これによって、ライブロック用構造体へ定着した、光合成が必要な生物（例えば珊瑚）に太陽光を供給することができる。その結果、ライブロックの生産性低下を抑制することができる。
【００２６】
次の本発明に係るライブロック生産設備は、前記ライブロック生産設備において、前記浮体構造物は、海面に向かって張り出す揺れ抑制手段を備えることを特徴とする。
【００２７】
このライブロック生産設備は、前記ライブロック生産設備の構成を備えるので、前記ライブロック生産設備と同様の作用、効果を奏する。さらにこのライブロック生産設備は、海面に向かって張り出す揺れ抑制手段を備える。これによって、浮体構造物に取り付けられるライブロック用構造体の動揺を低減できるので、ライブロックの生産性低下を抑制することができる。
【００２８】
次の本発明に係るライブロック生産設備は、前記ライブロック生産設備において、海中を漂う浮遊物から前記ライブロック用構造体を保護する海中浮遊物防護手段を備えることを特徴とする。
【００２９】
このライブロック生産設備は、前記ライブロック生産設備の構成を備えるので、前記ライブロック生産設備と同様の作用、効果を奏する。さらにこのライブロック生産設備は、海中浮遊物防護手段を備える。これによって、海中浮遊物から養生中のライブロック用構造体を保護することができるので、ライブロック用構造体の破損を抑制して、ライブロックの生産性低下を抑制することができる。
【００３０】
次の本発明に係るライブロック生産設備は、前記ライブロック生産設備において、前記浮体構造物の近傍に海水の水流を発生させる水流発生手段を備えることを特徴とする。
【００３１】
このライブロック生産設備は、前記ライブロック生産設備の構成を備えるので、前記ライブロック生産設備と同様の作用、効果を奏する。さらにこのライブロック生産設備は、浮体構造物の近傍に海水の水流を発生させる水流発生手段を備える。これによって、ライブロック用構造体が取り付けられる浮体構造物の周辺には常に新鮮な海水が存在するようになるので、ライブロックの生産性低下を抑制することができる。
【００３２】
次の本発明に係るライブロック生産設備は、前記ライブロック生産設備において、海水が流通する通水路を前記浮体構造物の底部に備えることを特徴とする。
【００３３】
このライブロック生産設備は、前記ライブロック生産設備の構成を備えるので、前記ライブロック生産設備と同様の作用、効果を奏する。さらにこのライブロック生産設備は、海水が流通する通水路を、浮体構造物の底部に備える。これによって、ライブロック用構造体が取り付けられる浮体構造物の周辺には常に新鮮な海水が存在するようになるので、ライブロックの生産性低下を抑制することができる。
【００３４】
次の本発明に係るライブロックの設置方法は、前記ライブロック用構造体を製造する手順と、前記ライブロック用構造体を海中に所定の期間保持する手順と、所定の期間海中に保持した後の前記ライブロック用構造体を、その設置場所に移動する手順と、前記設置場所で前記ライブロック用構造体が備える前記浮力発生手段の浮力を減少させる手順と、を含むことを特徴とする。
【００３５】
このライブロックの設置方法は、生物を定着させる生物定着層の内部に浮力発生手段を設けたライブロック用構造体を用いて生産したライブロックを設置場所に設置する。これによって、浮力発生手段が発生する浮力が利用できるので、ライブロックを設置場所まで移動させる際の負荷を軽減できる。また、浮力発生手段の浮力を減少させることにより、ライブロックは設置場所まで沈降するので、所定の設置場所へ容易にライブロックを設置できる。
【発明の効果】
【００３６】
この発明に係るライブロック用構造体及びライブロック生産設備、並びにライブロックの設置方法は、ライブロックを人工的に生産するにあたり、取り扱いを容易にすることができる。
【発明を実施するための最良の形態】
【００３７】
以下、この発明につき図面を参照しつつ詳細に説明する。なお、この発明を実施するための最良の形態（以下実施形態という）によりこの発明が限定されるものではない。また、下記実施形態における構成要素には、当業者が容易に想定できるもの、あるいは実質的に同一のものが含まれる。本発明は、例えば、水質浄化用等に用いるライブロックや環境回復に用いられるライブロックの生産の他、ライブロックに珊瑚を移植して珊瑚を養殖するために用いることに対しても本発明は適用できる。
【００３８】
（実施形態１）
この実施形態に係るライブロックは、次の点に特徴がある。すなわち、多孔質体で構成される生物定着層の内部に中空部を形成し、この中空部に浮力発生手段を備える。そして、養殖海域において所定期間養生させて、生物定着層の多孔質で構成される部分に生物を付着させる。その後、設置場所へ移動させて、設置時には、浮力発生手段の浮力を減少させる。
【００３９】
図１は、実施形態１に係るライブロック用構造体の構成を示す断面図である。図２は、実施形態１に係るライブロック用構造体を用いて生産したライブロックを海底に設置した状態を示す説明図である。なお、図２において、ライブロックは断面図で示してある。この実施形態に係るライブロック用構造体１は、多孔質体で構成される生物定着層２と、その内部に設けられる浮力発生手段である中空容器３とを含んで構成される。
【００４０】
ライブロック用構造体１を構成する生物定着層２は、窒素化合物等を分解するバクテリア類、石灰藻や珊瑚等が定着する部分である。この実施形態に係るライブロック用構造体１は、生物定着層２を発泡セメント等の多孔質体で構成する。これによって、生物定着層２の透水性が向上してバクテリア類や石灰藻等の定着を促進する。また、多孔質体により、表面積を大きくすることができるので、バクテリア類や石灰藻等の定着量が増加する。これによって、バクテリア類や石灰藻等が豊富なライブロックを、比較的短期間で生産することができる。生物定着層２の材料としては、上述した発泡セメントの他、微細気泡を有するコンクリートやモルタル、あるいは石灰質の硬化物を用いることができる。また、微細な孔を有する粒子を、石膏やホワイトセメント等で固めてもよい。
【００４１】
なお、生物定着層２を多孔質体で構成しない場合を排除するものではない。かかる場合、バクテリア類や石灰藻等の定着までの期間は、生物定着層２を多孔質体で構成する場合よりも長くなるが、これを許容できれば、生物定着層２を多孔質体で構成しなくともよい。これによって、生物定着層２の製造が容易になるので、ライブロック用構造体１の製造コストを低減できるという利点がある。
【００４２】
ライブロック用構造体１には、自己を識別できる個体識別手段として、ＩＣ（Integrated Circuit）タグ７が取り付けられる。ＩＣタグ７は、防水ケース内に封入したり、防水シールをしたりして、防水対策が施されてから、ライブロック用構造体１に取り付けられる。ライブロック用構造体１を養殖海域で養生させ、図２に示すように、バクテリア類、石灰藻や珊瑚Ｃ等が定着すると、自然の岩礁と見分けがつかなくなるおそれがある。そこで、ＩＣタグ７により、バクテリア類、石灰藻や珊瑚Ｃ等が定着することにより完成したライブロック１Ｌを、人工の構造物として識別する。また、ＩＣタグ７にライブロック用構造体１の属性（定着させる珊瑚Ｃの種類や、養生開始時期、養生海域の情報等）を記憶させておくことができる。これによって、多数のライブロック用構造体１の管理が容易になる。
また、水槽撤去などで不要となったライブロックのリサイクルに活用できる。
【００４３】
生物定着層２の内部は、中空部２Ｒが形成されている。そして、中空部２Ｒには、浮力発生手段である中空容器３が取り付けられている。中空容器３は、生物定着層２と結合されて一体化されている。ここでいう「一体化」とは、生物定着層２を破壊することなしに生物定着層２と中空容器３とを分離できないことをいう。
【００４４】
中空容器３は、連通孔４、５に栓６を取り付けることで密閉構造となり、水中で浮力を発生する。中空容器３は、例えば、鉄やＦＲＰ（Fiber Reinforced Plastic：繊維強化型プラスチック）で構成される。この実施形態において、中空容器３は、ライブロック用構造体１の底部Ｂに相当する部分に連通孔５が設けられており、後述するライブロック１Ｌの設置時において、海水が中空容器３の内部３Ｒに流入しやすくしてある。このライブロック用構造体１は、生物定着層２の内部に中空容器３を備えるため、この中空容器３によって生物定着層２を補強できるという利点がある。
【００４５】
ライブロック用構造体１を設置場所に設置する前は、連通孔４、５に栓６を取り付けて中空容器３を密封構造とし、水中において浮力を発生させる。この場合、浮力調整のため、所定量の水を中空容器３内に注入しておいてもよい。ライブロック用構造体１がライブロック１Ｌ（図２）として完成した後、設置場所に設置する場合には、中空容器３に浮力を発生させたまま設置場所まで曳航する。そして、設置時に栓６を取り外すことで、連通孔４、５から海水Ｗが中空容器３内に流入して、中空容器３が海水Ｗで満たされる。これによって、中空容器３の浮力が失われ、中空容器３を内部に備えるライブロック１Ｌは、設置場所の海底Ｌへ沈降して設置される。
【００４６】
このライブロック用構造体１は、内部に浮力発生手段である中空容器３を備え、養殖海域への曳航中や養生中、あるいは設置場所までの曳航中には、中空容器３に浮力を発生させる。これによって、海水によってライブロック用構造体１や、これにバクテリアや珊瑚Ｃ等が定着したライブロック１Ｌの重量の一部を海水が負担する。その結果、ライブロック用構造体１やこれにバクテリア等が定着したライブロック１Ｌを曳航するときの負荷を低減できる。また、養殖海域でライブロック用構造体１を養生させる場合、ライブロック用構造体１を支持するための力も低減できるので、ライブロックを養生させる施設において、ライブロック用構造体１の支持構造を簡略化したり、当該施設の耐久性低下を抑制したりすることができる。この実施形態に係る構成は、ライブロック用構造体１やライブロック１Ｌの寸法や質量が大きくなるほど好ましい。
【００４７】
（変形例１）
図３は、実施形態１の第１変形例に係るライブロック用構造体を示す断面図である。図４は、図３に示すライブロック用構造体を、その底部側から見た状態を示す平面図である。図５は、実施形態１の第１変形例に係るライブロック用構造体を用いて生産したライブロックを海底に設置するときの状態を示す説明図である。この変形例に係るライブロック用構造体１ａは、上記ライブロック用構造体１と略同様であるが、生物定着層２ａの内部には、中空容器３の代わりに取り外し可能な浮力体８が取り付けられる点が異なる。他の構成は、上記実施形態１と同様である。
【００４８】
生物定着層２ａの内部は、中空部２Ｒａが形成されている。そして、中空部２ａＲには、浮力発生手段である浮力体８が取り付けられている。浮力体８は、例えば、発泡スチロールや発泡ウレタン、あるいは空孔を有するガラスや樹脂のビーズ等を用いることができる。生物定着層２ａには、連通孔４ａが設けられており、ライブロック１Ｌａの設置時においては、生物定着層２ａの中空部２ａＲ内の空気が連通孔４ａから抜けることによって、中空部２ａＲに海水が流入しやすくしてある。
【００４９】
ライブロック用構造体１ａがライブロック１Ｌａ（図５）として完成した後、設置場所に設置する場合には、浮力体８を取り付けたまま設置場所まで曳航する。そして、設置時に浮力体８をライブロック１Ｌａの生物定着層２ａから取り外すことで、連通孔４ａから海水Ｗが生物定着層２ａの中空部２Ｒａに流入する。これによって、ライブロック１Ｌａの浮力が失われ、ライブロック１Ｌａは、設置場所の海底Ｌへ沈降して設置される。なお、浮力体８は、設置時における取り外しを考慮して分割構造としてもよい。
【００５０】
図６は、実施形態１の第１変形例に係るライブロック用構造体を用いて生産したライブロックの他の使用態様を示す説明図である。このライブロック１Ｌａは、上記ライブロック１Ｌａにおいて、例えば、海老や蟹等の甲殻類や小型の魚類が通過できる程度の大きさの連通孔４ａを設ける。これによって、ライブロック１Ｌａの内部に海老や蟹等の甲殻類や小型の魚類等を導き、漁礁としても利用する。
【００５１】
この変形例に係るライブロック用構造体１ａ（図３参照）では、設置時に浮力体８を取り外すので、設置後においてはライブロック１Ｌａの内部も多孔質体が海水と直接接することになる。その結果、設置後ある程度の期間が経過すれば、ライブロック１Ｌａの内部にも石灰藻等が定着し、甲殻類や小型の魚類等が集まりやすくなり、漁礁としての機能を発揮しやすくなる。
【００５２】
（第２変形例）
図７は、実施形態１の第２変形例に係るライブロック用構造体の構成を示す断面図である。図８は、図７に示すライブロック用構造体を、その底部側から見た状態を示す平面図である。図９は、実施形態１の第２変形例に係るライブロック用構造体の他の構成を示す断面図である。この変形例に係るライブロック用構造体１ｂは、上記実施形態１と略同様であるが、生物定着層の中空部を複数有する点が異なる。他の構成は、上記実施形態１と同様である。
【００５３】
生物定着層２ｂの内部は、複数の中空部２Ｒｂ（この例では２個）が形成されている。そして、それぞれの中空部２Ｒｂには、浮力発生手段である中空容器３ｂが取り付けられている。すなわち、このライブロック用構造体１ｂは、２個の中空容器３ｂを備える。これによって、図７、図８に示すように、生物定着層２ｂ内には、２個の中空容器３ｂの間に隔壁２ｂ＿ｒが形成される。この隔壁２ｂ＿ｒが生物定着層２ｂを補強するリブとしての機能を果たすため、生物定着層２ｂの強度が向上する。
【００５４】
ここで、浮力発生手段として、中空容器の代わりに発泡スチロール等の浮力体（図３参照）を用いる場合、設置後には浮力体が取り除かれるため、強度面では中空容器を用いるものよりも不利となる。浮力発生手段に浮力体を用いる場合にも、この変形例に係る構成は適用できるが、その場合には、複数の浮力体間に形成される生物定着層２ｂの隔壁によって生物定着層２ｂの強度が向上するので、強度面の不利を改善できる。
【００５５】
この変形例に係るライブロック用構造体１ｂでは、複数の中空容器３ｂ（浮力発生手段）を備えるので、例えば、１個の中空容器３ｂに穴が開いて浮力発生手段としての機能を喪失した場合でも、浮力を喪失していない方の中空容器３ｂによって浮力を発生させることができる。これによって、信頼性の向上を図ることができる。
【００５６】
なお、浮力発生手段である中空容器３ｂの個数は２個に限られるものではなく、また、その配置は、ライブロック用構造体１ｂの底部Ｂの面と平行な方向に並べる配置（図７参照）に限られるものではない。例えば、図９に示すライブロック用構造体１ｃのように、３個の中空容器（浮力発生手段）３ｃ1〜３ｃ3を、ライブロック用構造体１ｃの底部Ｂの面と直交する方向に並べてもよい。
【００５７】
また、図９に示すライブロック用構造体１ｃのように、それぞれの中空容器３ｃ1〜３ｃ3の体積を異ならせてもよい。例えば、このライブロック用構造体１ｃでは、底部Ｂから離れるにしたがって中空容器の体積を大きくしている。これによって、底部Ｂの質量が大きくなるので、ライブロックの設置時には、底部Ｂが設置場所の海底と対向した状態を保って沈降する。これによって、底部Ｂが海底へ着底しやすくなるので、石灰藻や珊瑚等が定着した生物定着層２ｃが海底へ着底するおそれを低減できる。
【００５８】
以上、この実施形態及びその変形例に係るライブロック用構造体は、生物を定着させる生物定着層の内部に浮力発生手段を設け、これを用いてライブロックを生産する。これによって、浮力発生手段の浮力を利用することができるので、ライブロックを設置する場所まで移動させる際の取り扱いが容易になる。また、ライブロックを設置する際には、浮力発生手段の浮力を減少させればよいので、ライブロックの設置作業が容易になる。なお、この実施形態及びその変形例の構成を備えるものは、この実施形態及びその変形例と同様の作用、効果を奏する。また、この実施形態及びその変形例の構成は、以下の実施形態においても適用できる。
【００５９】
（実施形態２）
実施形態２では、実施形態及びその変形例に係るライブロック用構造体を用いてライブロックを生産するためのライブロック生産設備及びライブロックの生産方法を説明する。
【００６０】
図１０は、実施形態２に係る、ライブロック生産設備を示す平面図である。図１１、図１２は、実施形態２に係る、ライブロック生産設備を示す側面図である。このライブロック生産設備１００は、実施形態１で説明したライブロック用構造体１（図１等参照）が取り付けられた浮体構造物２０を、ライブロックの養生に適した海域（養生海域）Ｓに浮かべる。これにより、ライブロック用構造体１の生物定着層２に、バクテリアや石灰藻や珊瑚等を定着させる。
【００６１】
この実施形態に係るライブロック生産設備１００は、複数の浮力体を組み合わせて浮体構造物２０が構成されるが、浮体構造物２０を構成する方式や浮体構造物２０の形状は、図１０に開示したものに限定されるものではない。浮体構造物２０を構成する浮力体は、例えば、複数の金属板を溶接等で接合した、中空構造物を用いることができる。浮体構造物２０は、アンカーにより所定の海域に係留してもよいし、陸地に係留してもよい。
【００６２】
ライブロック用構造体１は、ライブロック取付手段によって浮体構造物２０に取り付けられて、所定の海域に浸漬される。説明の便宜上、この実施形態に係るライブロック生産設備１００は、２種類のライブロック取付手段を備えるが、実際上は２種類のライブロック取付手段のうちいずれか一方を用いることになる。
【００６３】
ライブロック取付手段としては、例えば、図１１に示すような係留索２４を用いて、浮体構造物２０にライブロック用構造体１を繋留することができる。係留索２４は、例えば、ロープや耐食性の高いワイヤ等を用いる。また、ライブロック取付手段として、例えば図１に示すようなライブロック支持具２１を用いてもよい。ライブロック支持具２１は、板状のライブロック取付部２３と、ライブロック取付部２３と浮体構造物２０とを連結する軸２２とで構成される。次に、実施形態２に係る、ライブロック生産設備１００の変形例を説明する。
【００６４】
図１３〜図１８は、実施形態２に係る、ライブロック生産設備の変形例を示す説明図である。図１３に示すライブロック生産設備１００ａは、採光・照射である採光・照射装置３０により、日中において、浮体構造物２０の影となる領域Ｄに位置するライブロック用構造体１へ太陽４０の光（以下太陽光）４１を照射する。ここで、日中において、浮体構造物２０の影となる領域Ｄは、太陽光４１が浮体構造物２０によって遮断される領域であり、浮体構造物２０に対して太陽４０と反対側における領域のうち、図１３中の一点鎖線と浮体構造物２０とで囲まれる領域である。
【００６５】
採光・照射装置３０は、採光部３１と、太陽光照射部３２とを含む。採光部３１は、太陽４０に追従して動いて、日中は常に太陽４０と対向して太陽光４１を採光できるようになっている。採光部３１で採光された太陽光４１は、太陽光照射部３２から浮体構造物２０の影になる部分へ太陽光４１を照射する。太陽光照射部３２は、例えば、光ファイバを用いて構成される。このような構成により、日中において、浮体構造物２０の影となる領域Ｄに位置するライブロック用構造体１へ太陽光４１を照射することができるので、ライブロック用構造体１へ定着した、光合成が必要な生物（例えば珊瑚）に太陽光４１を供給することができる。その結果、ライブロックの生産性低下を抑制することができる。
【００６６】
図１４に示すライブロック生産設備１００ｂは、浮体構造物２０から海面Ｓに向かって、揺れ抑制手段であるフィン２５を張り出させる。これによって、ライブロック生産設備１００ｂの近くを航行する船舶の引き波等による浮体構造物２０の動揺を抑制できる。その結果、浮体構造物２０に取り付けられるライブロック用構造体１の動揺を低減できるので、ライブロックの生産性低下を抑制することができる。
【００６７】
図１５に示すライブロック生産設備１００ｃは、浮体構造物２０に取り付けられるライブロック用構造体１の周辺に、海中浮遊物防護手段２６を備える。海中を漂う浮遊物（海中浮遊物）４５が養生中のライブロック用構造体１に衝突すると、ライブロック用構造体１に定着した生物が脱落したり、ライブロック用構造体１が破損したりする。このため、このライブロック生産設備１００ｃは、ライブロック用構造体１の周辺に、海中浮遊物防護手段２６を設け、海中浮遊物４５から養生中のライブロック用構造体１を保護する。
【００６８】
このライブロック生産設備１００ｃにおいて、海中浮遊物防護手段２６としては、例えば、ネットを用いる。海中浮遊物防護手段２６は、ライブロック用構造体１からある程度離して配置することが好ましいため、浮体構造物２０から海中浮遊物防護手段２６の支持手段を突出させ、これに海中浮遊物防護手段２６を取り付ける。
【００６９】
このライブロック生産設備１００ｃでは、上述したライブロック生産設備１００ｂ（図１４参照）が備える揺れ抑制手段であるフィン２５に海中浮遊物防護手段２６を取り付ける。これによって、浮体構造物２０の揺れ抑制と海中浮遊物防護手段２６の支持とを兼ねているが、海中浮遊物防護手段２６の支持はこの方式に限定されるものではない。
【００７０】
このライブロック生産設備１００ｃは、浮体構造物２０に取り付けられるライブロック用構造体１の周辺に、海中浮遊物防護手段２６を備える。これによって、海中浮遊物４５から養生中のライブロック用構造体１を保護することができるので、ライブロック用構造体１に定着した生物の脱落や、ライブロック用構造体１の破損を抑制して、ライブロックの生産性低下を抑制することができる。
【００７１】
図１６に示すライブロック生産設備１００ｄは、浮体構造物２０に水流発生手段２８を備える。ライブロック生産設備１００ｃが備える浮体構造物２０の周辺、特に複数の浮体構造物２０で囲まれた内側は、海水が滞りやすく、ライブロックの生産性に影響を与えるおそれがある。このライブロック生産設備１００ｃでは、浮体構造物２０に海水の水流を発生させる水流発生手段２８を備えることにより、浮体構造物２０の周辺における海水の交換が促進されて、ライブロック用構造体１が取り付けられる浮体構造物２０の周辺には常に新鮮な海水が存在するようになる。これによって、ライブロックの生産性低下を抑制することができる。
【００７２】
図１７、図１８に示すライブロック生産設備１００ｅは、浮体構造物２０に通水路２７を備える。上述したように、ライブロック生産設備１００ｅが備える浮体構造物２０の周辺、特に複数の浮体構造物２０で囲まれた内側は、海水が滞りやすく、ライブロックの生産性に影響を与えるおそれがある。このライブロック生産設備１００ｅは、浮体構造物２０の底部（すなわち重力の作用方向側）に通水路２７を備えることにより、図１８の矢印方向への海水の動きが生じ、浮体構造物２０で囲まれた内側の領域と外側の領域とで海水の交換が促進される。これによって、ライブロック用構造体１が取り付けられる浮体構造物２０の周辺には常に新鮮な海水が存在するようになるので、ライブロックの生産性低下を抑制することができる。
【００７３】
ここで、上述したライブロック生産設備１００ａ〜１００ｅの構成は、それぞれ単独で、あるいは、２以上を組み合わせて使用することができる。次に、実施形態１に係るライブロック用構造体及び実施形態２に係る、ライブロック生産設備を用いてライブロックを生産し、設置場所に設置するまでの手順を説明する。
【００７４】
図１９は、ライブロックの生産及び設置手順を示すフローチャートである。ライブロックを生産するにあたり、まず、実施形態１及びその変形例で説明したライブロック用構造体１（図１参照）あるいはライブロック用構造体１ａ（図３参照）を製造する（ステップＳ１０１）。これは、図１に示すライブロック用構造体１では、中空容器３に、例えば発泡セメントを塗布して固化させる。また、図３に示すライブロック用構造体１ａでは、浮力体８を取り付けるスペースを空けて生物定着層２ａを作り、これに浮力体８を取り付ける。
【００７５】
ライブロック用構造体１等を製造したら、実施形態２で説明したライブロック生産設備１００等へライブロック用構造体１等を設置し（ステップＳ１０２）、所定の期間養生させる（ステップＳ１０３）。これによって、ライブロック用構造体１等に、バクテリアや石灰藻等の生物を定着させる。所定期間が経過すると、ライブロック用構造体１等に十分な生物が定着して、ライブロック１Ｌ（図２参照）が完成する（ステップＳ１０４）。
【００７６】
完成したライブロック１Ｌは、これを設置する場所へ曳航される（ステップＳ１０５）。ライブロック１Ｌが設置する場所へ移動したら、ライブロック１Ｌが備える浮力発生手段の浮力を減少させて、ライブロック１Ｌを設置場所まで沈降させる。浮力発生手段の浮力を減少させるためには、例えば、中空容器３（図１参照）の内部に海水を流入させたり、浮力体８（図３参照）を取り除いたりする。これによって、ライブロック１Ｌが所定の設置場所へ設置される（ステップＳ１０６）。
【００７７】
以上、この実施形態及びその変形例では、生物を定着させる生物定着層の内部に浮力発生手段を設けたライブロック用構造体を、浮体構造物に取り付けてライブロックを生産する。これによって、ライブロック用構造体の浮力発生手段が発生する浮力を利用することができるので、浮体構造物に取り付ける作業や、生物の定着状態を確認するためにライブロック用構造体を引き上げる場合の負担が軽減できる。また、ライブロック用構造体の浮力発生手段が浮力を発生するため、浮体構造物が負担する荷重も低減できる。その結果、より多くのライブロックを養生させることが可能となる。
【００７８】
さらに、浮体構造物を用いることにより、海水温度が異常に上昇した場合には、浮体構造物ごと養生中のライブロック用構造体を適正な水温の海域に移動させることができる。また、台風等による暴風時には、浮体構造物ごと養生中のライブロック用構造体を港内に移動できるので、養生中のライブロック用構造体の破損等を最小限に抑えることができる。そして、ライブロック用構造体の浮力発生手段が浮力を発生するため、浮体構造物ごとライブロック用構造体を移動させるときの負荷を低減できる。なお、この実施形態及びその変形例の構成を備えるものは、この実施形態及びその変形例と同様の作用、効果を奏する。
【産業上の利用可能性】
【００７９】
以上のように、本発明に係るライブロック用構造体及びライブロック生産設備、並びにライブロックの設置方法は、ライブロックを人工的に生産することに有用であり、特に、寸法、質量の大きなライブロックを生産することに適している。
【図面の簡単な説明】
【００８０】
【図１】実施形態１に係るライブロック用構造体の構成を示す断面図である。
【図２】実施形態１に係るライブロック用構造体を用いて生産したライブロックを海底に設置した状態を示す説明図である。
【図３】実施形態１の第１変形例に係るライブロック用構造体を示す断面図である。
【図４】図３に示すライブロック用構造体を、その底部側から見た状態を示す平面図である。
【図５】実施形態１の第１変形例に係るライブロック用構造体を用いて生産したライブロックを海底に設置するときの状態を示す説明図である。
【図６】実施形態１の第１変形例に係るライブロック用構造体を用いて生産したライブロックの他の使用態様を示す説明図である。
【図７】実施形態１の第２変形例に係るライブロック用構造体の構成を示す断面図である。
【図８】図７に示すライブロック用構造体を、その底部側から見た状態を示す平面図である。
【図９】実施形態１の第２変形例に係るライブロック用構造体の他の構成を示す断面図である。
【図１０】実施形態２に係る、ライブロック生産設備を示す平面図である。
【図１１】実施形態２に係る、ライブロック生産設備を示す側面図である。
【図１２】実施形態２に係る、ライブロック生産設備を示す側面図である。
【図１３】実施形態２に係る、ライブロック生産設備の変形例を示す説明図である。
【図１４−１】実施形態２に係る、ライブロック生産設備の変形例を示す説明図である。
【図１４−２】実施形態２に係る、ライブロック生産設備の変形例を示す説明図である。
【図１５】実施形態２に係る、ライブロック生産設備の変形例を示す説明図である。
【図１６】実施形態２に係る、ライブロック生産設備の変形例を示す説明図である。
【図１７】実施形態２に係る、ライブロック生産設備の変形例を示す説明図である。
【図１８】実施形態２に係る、ライブロック生産設備の変形例を示す説明図である。
【図１９】ライブロックの生産及び設置手順を示すフローチャートである。
【符号の説明】
【００８１】
１、１ａ、１ｂ、１ｃ  ライブロック用構造体
１Ｌ、１Ｌａ  ライブロック
２ｂ＿ｒ  隔壁
２、２ａ、２ｂ  生物定着層
２Ｒ、２Ｒａ、２Ｒｂ  中空部
３、３ｂ、３ｃ1  ３ｃ2  中空容器
４、４ａ  連通孔
５  連通孔
７  ＩＣタグ
８  浮力体
２０  浮体構造物
２１  ライブロック支持具
２４  係留索
２５  フィン
２６  海中浮遊物防護手段
２７  通水路
２８  水流発生手段
３０  採光・照射装置
１００、１００ａ、１００ｂ、１００ｃ、１００ｄ、１００ｅ  ライブロック生産設備
【図１】
2007113291.tif 000003
【図２】
2007113291.tif 000004
【図３】
2007113291.tif 000005
【図４】
2007113291.tif 000006
【図５】
2007113291.tif 000007
【図６】
2007113291.tif 000008
【図７】
2007113291.tif 000009
【図８】
2007113291.tif 000010
【図９】
2007113291.tif 000011
【図１０】
2007113291.tif 000012
【図１１】
2007113291.tif 000013
【図１２】
2007113291.tif 000014
【図１３】
2007113291.tif 000015
【図１４−１】
2007113291.tif 000016
【図１４−２】
2007113291.tif 000017
【図１５】
2007113291.tif 000018
【図１６】
2007113291.tif 000019
【図１７】
2007113291.tif 000020
【図１８】
2007113291.tif 000021
【図１９】
2007113291.tif 000022